(57)【要約】【課題】設置作業性を向上させること。【解決手段】実施形態に係る衛生洗浄装置は、ケーシングと、接続部品と、化粧カバーとを備える。ケーシングは、便器の上面後部に設置され、機能部を収納する。接続部品は、機能部における外部接続用の部品であり、ケーシングの内部において、便器の上面左右いずれか一側部に設けられた貫通孔側に寄せて配置される。化粧カバーは、接続部品におけるケーシングの外部に露出する部分を隠すように取り付けられる。【選択図】図４
2018031203.tif 000002
【特許請求の範囲】
【請求項１】
便器の上面後部に設置され、機能部を収納するケーシングと、
前記機能部における外部接続用の接続部品と、
前記ケーシングに取り付けられ、当該ケーシングの一部を覆う化粧カバーと
を備え、
前記接続部品は、
前記ケーシングの内部において、前記便器の上面左右いずれか一側部に設けられた貫通孔側に寄せて配置され、
前記化粧カバーは、
前記接続部品における前記ケーシングの外部に露出する部分を隠すように取り付けられること
を特徴とする衛生洗浄装置。
【請求項２】
前記接続部品は、
給水源と接続される給水ホース、電源と接続される電源コードおよび便器洗浄プラグが接続される便器洗浄ジャックを含むこと
を特徴とする請求項１に記載の衛生洗浄装置。
【請求項３】
前記化粧カバーは、
前記ケーシングの側面、背面および上面にわたるように形成されること
を特徴とする請求項１または２に記載の衛生洗浄装置。
【請求項４】
前記化粧カバーと前記ケーシングとを係合させる係合部
をさらに備え、
前記係合部は、
係合凸部と、
前記係合凸部と係合する係合凹部と
を備え、
前記係合凸部は、
前記化粧カバーの上部に設けられ、前記ケーシングの左右方向の内側へ向けて突出する中央凸部を有し、
前記係合凹部は、
前記ケーシングの前記側面に設けられ、当該ケーシングの左右方向の外側へ向けて開口する中央凹部を有すること
を特徴とする請求項３に記載の衛生洗浄装置。
【請求項５】
前記係合凸部は、
前記中央凸部が鉤状のフック部であるとともに、前記中央凸部よりも下方にリブ部を有すること
を特徴とする請求項４に記載の衛生洗浄装置。
【請求項６】
前記係合凹部は、
前記ケーシングの前記上面以外に設けられること
を特徴とする請求項４または５に記載の衛生洗浄装置。
【請求項７】
請求項１〜６のいずれか１つに記載の衛生洗浄装置と、
前記衛生洗浄装置が設置される前記便器と
を備えること
を特徴とするトイレ装置。
【発明の詳細な説明】
【技術分野】
【０００１】
開示の実施形態は、衛生洗浄装置およびトイレ装置に関する。
【背景技術】
【０００２】
従来、便器の上面に設置され、たとえば、便座に座った人の局部の洗浄を行う衛生洗浄装置が知られている（たとえば、特許文献１参照）。かかる衛生洗浄装置は、ケーシングの内部に機能部を有する。また、機能部は、外部接続用の接続部品を有する。また、接続部品としては、たとえば、給水源に接続される給水ホースや、電源に接続される電源コードがある。
【０００３】
また、衛生洗浄装置は、給水ホースや電源コードなどの接続部品が外部に露出しないように、たとえば、便器の内部空間に接続部品を隠蔽する、いわゆる給水給電隠蔽で設置される場合がある。このため、便器の上面には、便器の内部空間へ接続部品を導くために、接続部品が挿通される貫通孔が設けられる（たとえば、特許文献２参照）。
【０００４】
かかる衛生洗浄装置においては、接続部品のうち、たとえば、給水ホースが便器の上面左右いずれか一側部に設けられた貫通孔に挿通させるためにケーシングの内部の貫通孔側（左右一側側）に配置され、電源コードが貫通孔側とは反対側（左右他側側）に配置されるなど、接続部品が所定のレイアウトで配置される。
【先行技術文献】
【特許文献】
【０００５】
【特許文献１】特開２００５−２０１０４６号公報
【特許文献２】特開２０１４−１４７４４５号公報
【発明の概要】
【発明が解決しようとする課題】
【０００６】
しかしながら、従来の衛生洗浄装置では、上記したように、給水ホースが左右一側側、電源コードが左右他側側に配置される場合、便器の貫通孔に挿通させるために、接続部品（たとえば、電源コード）を左右いずれかから貫通孔側へ取り回す必要がある。このため、従来の衛生洗浄装置は、たとえば、給水給電隠蔽で設置する場合、接続部品の取り回しが煩雑となり、コードやホース類がキンクするなど、作業性が悪かった。
【０００７】
実施形態の一態様は、設置作業性を向上させることができる衛生洗浄装置およびトイレ装置を提供することを目的とする。
【課題を解決するための手段】
【０００８】
実施形態の一態様に係る衛生洗浄装置は、便器の上面後部に設置され、機能部を収納するケーシングと、前記機能部における外部接続用の接続部品と、前記ケーシングに取り付けられ、当該ケーシングの一部を覆う化粧カバーとを備え、前記接続部品は、前記ケーシングの内部において、前記便器の上面左右いずれか一側部に設けられた貫通孔側に寄せて配置され、前記化粧カバーは、前記接続部品における前記ケーシングの外部に露出する部分を隠すように取り付けられることを特徴とする。
【０００９】
かかる構成によれば、外部接続用の接続部品が便器の貫通孔側に寄せて配置されるため、接続部品を貫通孔に容易に挿通させることができる。これにより、給水給電隠蔽で設置する場合に接続部品を隠蔽する作業が容易となり、設置作業性を向上させることができる。また、接続部品が外部に露出しないので、意匠性を向上させることができる。
【００１０】
また、接続部品のうち、ケーシングの外部に露出する部分を化粧カバーで隠すことで、意匠性をさらに向上させることができる。なお、化粧カバーを、たとえば、ケーシングや便器などの色と同色とすれば、意匠性を容易に向上させることができる。
【００１１】
また、上記した衛生洗浄装置では、前記接続部品は、給水源と接続される給水ホース、電源と接続される電源コードおよび便器洗浄プラグが接続される便器洗浄ジャックを含むことを特徴とする。
【００１２】
かかる構成によれば、接続部品である、給水ホースおよび電源コードが便器の貫通孔側に寄せて配置されるため、貫通孔に挿通させるために給水ホースや電源コードを左右から取り回す必要がなくなり、給水ホースや電源コードがキンクすることもない。このため、給水給電隠蔽で設置する作業を容易に行うことができる。また、同じく接続部品である、便器洗浄ジャックなどを化粧カバーで隠すことで、意匠性を向上させることができる。
【００１３】
また、上記した衛生洗浄装置では、前記化粧カバーは、前記ケーシングの側面、背面および上面にわたるように形成されることを特徴とする。かかる構成によれば、化粧カバーがケーシングの３面（側面、背面および上面）にわたってケーシングを覆うように取り付けられるため、ケーシングに対して化粧カバーを一体的に取り付けることができる。これにより、意匠性を向上させることができる。
【００１４】
また、上記した衛生洗浄装置では、前記化粧カバーと前記ケーシングとを係合させる係合部をさらに備え、前記係合部は、係合凸部と、前記係合凸部と係合する係合凹部とを備え、前記係合凸部は、前記化粧カバーの上部に設けられ、前記ケーシングの左右方向の内側へ向けて突出する中央凸部を有し、前記係合凹部は、前記ケーシングの前記側面に設けられ、当該ケーシングの左右方向の外側へ向けて開口する中央凹部を有することを特徴とする。
【００１５】
かかる構成によれば、化粧カバーとケーシングとを係合させる係合部の中央凹部が、上方ではなく、左右方向の外方へ向けて開口されるため、開口を通じてケーシングの内部に水が入るのを防止することができる。ケーシングへの浸水を防止することで、機能部の故障を防ぐことができるとともに、衛生性を向上させることができる。
【００１６】
また、上記した衛生洗浄装置では、前記係合凸部は、前記中央凸部が鉤状のフック部であるとともに、前記中央凸部よりも下方にリブ部を有することを特徴とする。かかる構成によれば、係合凸部が、化粧カバーの上部において引っ掛け保持構造であり、化粧カバーの中央部および下部において位置決め構造であるため、化粧カバーの上部を支点として下部を手前に引くことで、化粧カバーを容易に取り外すことができる。
【００１７】
また、上記した衛生洗浄装置では、前記係合凹部は、前記ケーシングの前記上面以外に設けられることを特徴とする。かかる構成によれば、係合凹部がケーシングの上面に設けられないため、すなわち、ケーシングに上向きの孔がないため、ケーシングの内部に水が入るのを防止することができる。ケーシングへの浸水を防止することで、機能部の故障を防ぐことができるとともに、衛生性を向上させることができる。
【００１８】
さらに、実施形態の一態様に係るトイレ装置は、前記衛生洗浄装置と、前記衛生洗浄装置が設置される前記便器とを備えることを特徴とする。かかる構成によれば、衛生洗浄装置において外部接続用の接続部品が便器の貫通孔側に寄せて配置されるため、接続部品を貫通孔に容易に挿通させることができる。これにより、給水給電隠蔽で設置する場合に接続部品を隠蔽する作業が容易となり、設置作業性を向上させることができる。また、接続部品が外部に露出しないので、意匠性を向上させることができる。
【発明の効果】
【００１９】
実施形態の一態様によれば、設置作業性を向上させることができる。
【図面の簡単な説明】
【００２０】
【図１】図１は、実施形態に係るトイレ装置の概略斜視図（その１）である。
【図２】図２は、実施形態に係るトイレ装置の概略斜視図（その２）である。
【図３】図３は、実施形態に係る衛生洗浄装置の概略平面図である。
【図４】図４は、実施形態に係る衛生洗浄装置の概略斜視図である。
【図５】図５は、化粧カバーの概略斜視図である。
【図６Ａ】図６Ａは、ケーシングの開放部の概略左側面図である。
【図６Ｂ】図６Ｂは、図６ＡにおけるＡ部のＹ軸負方向視を示す図である。
【図６Ｃ】図６Ｃは、図６ＡにおけるＢ部のＹ軸負方向視を示す図である。
【図６Ｄ】図６Ｄは、図６ＡのＸ軸負方向視を示す図である。
【図７Ａ】図７Ａは、ケーシングおよび化粧カバーの概略左側面図である。
【図７Ｂ】図７Ｂは、図７ＡにおけるＣ−Ｃ線断面図である。
【図７Ｃ】図７Ｃは、図７ＡにおけるＤ−Ｄ線断面図である。
【図７Ｄ】図７Ｄは、図７ＡにおけるＥ−Ｅ線断面図である。
【図７Ｅ】図７Ｅは、図７ＡにおけるＦ−Ｆ線断面図である。
【図７Ｆ】図７Ｆは、図７ＡにおけるＧ−Ｇ線断面図である。
【図８】図８は、ケーシング、化粧カバー、キャップおよび接続部品の概略斜視図である。
【図９】図９は、キャップの概略斜視図である。
【図１０】図１０は、キャップの取り付け状態の概略斜視図である。
【図１１Ａ】図１１Ａは、キャップの密結構造の説明図（その１）である。
【図１１Ｂ】図１１Ｂは、キャップの密結構造の説明図（その２）である。
【図１１Ｃ】図１１Ｃは、キャップの密結構造の説明図（その３）である。
【図１１Ｄ】図１１Ｄは、キャップの密結構造の説明図（その４）である。
【図１１Ｅ】図１１Ｅは、キャップの密結構造の説明図（その５）である。
【図１２】図１２は、キャップによる半挿入防止構造の説明図である。
【図１３】図１３は、キャップの他の例の概略斜視図である。
【図１４】図１４は、キャップの他の例による半挿入防止構造の説明図である。
【発明を実施するための形態】
【００２１】
以下、添付図面を参照して、本願の開示する衛生洗浄装置およびトイレ装置の実施形態を詳細に説明する。なお、以下に示す実施形態によりこの発明が限定されるものではない。
【００２２】
＜トイレ装置の全体構成＞
まず、図１および図２を参照して実施形態に係るトイレ装置１の全体構成について説明する。図１および図２は、実施形態に係るトイレ装置１の概略斜視図である。このうち、図２には、衛生洗浄装置１０の取り付け状態を示している。
【００２３】
なお、図１および図２において、説明をわかりやすくするために、鉛直上向きを正方向とするＺ軸を含む３次元の直交座標系を図示している。かかる直交座標系は、他の図においても図示している場合がある。
【００２４】
また、かかる直交座標系は、Ｙ軸の正方向視を正面と規定し、Ｘ軸の正方向視を左側面、Ｘ軸の負方向視を右側面、Ｚ軸の負方向視を平面（「上面」ともいう）と規定している。このため、以下の説明では、Ｘ軸方向を左右方向、Ｙ軸方向を前後方向、Ｚ軸方向を上下方向という場合がある。
【００２５】
図１に示すように、トイレ装置１は、便器部２と、便蓋部３と、衛生洗浄装置１０とを備える。なお、便器部２は、図示のような床置き式に限らず、壁掛け式であってもよい。また、図示の例では、トイレ装置１は、便器部２の後部に洗浄水を貯留する洗浄水タンク（図示省略）が設置されるが、便器部２の後部に洗浄水タンクが設置されない、いわゆるタンクレス式であってもよい。
【００２６】
また、便器部２は、便器本体（以下、「便器」という）２ａの上面に設けられ、汚物を受けるボウル２ｂ（図２参照）を有する。なお、便器部２は、洗浄水をボウル２ｂへ導く導水路、ボウル２ｂの下部に入口が接続され、ボウル２ｂ内の汚物を排水管路へ排出するトラップ管路などをさらに有する。なお、便器２ａは、たとえば陶器製である。
【００２７】
また、トイレ装置１は、たとえば、サイホン作用を利用してボウル２ｂ内の汚物を引き込んでトラップ管路から排出する、いわゆるサイホン式である。なお、トイレ装置１は、サイホン式に限らず、たとえば、ボウル２ｂ内の洗浄水の落差による流水作用で汚物を押し流す、いわゆる洗い落し式であってもよい。
【００２８】
また、便器２ａは、内部空間を有する。たとえば、便器２ａの後半部にカバー２ｃが取り付けられることで、便器２ａとカバー２ｃとの間に便器２ａの内部空間が形成される。便器２ａの内部空間には、衛生洗浄装置１０の接続部品１３（図２参照）が収納される。
【００２９】
便蓋部３は、便器部２の上方に取り付けられる。便蓋部３は、便蓋３ａと、便座（図示省略）とを備える。便蓋部３は、便蓋３ａや便座の上下方向の回動端部となる後方端部が、衛生洗浄装置１０に取り付けられる。また、衛生洗浄装置１０は、便器２ａの上面に設置される。すなわち、衛生洗浄装置１０は、便器部２と便蓋部３との間に設けられる。
【００３０】
図２に示すように、衛生洗浄装置１０は、便器２ａの上面後部に設置され、たとえば、便座に座った人の局部へ向けて洗浄水を噴射して、便座に座った人の局部を洗浄する。衛生洗浄装置１０では、ケーシング１１（図３参照）の内部に設けられた機能部１２（図３参照）の接続部品１３が、ケーシング１１の内部から外部へ向けて設けられる。すなわち、接続部品１３は、ケーシング１１の外部に露出している。
【００３１】
接続部品１３としては、たとえば、給水源（図示省略）と接続される給水ホース（給水管を含む）１３ａや、電源（図示省略）と接続される電源コード１３ｂがある。また、接続部品１３としては、便器洗浄プラグ１３ｃが接続される便器洗浄ジャック１３ｄ（図３参照）がある。すなわち、接続部品１３は、給水ホース１３ａ、電源コード１３ｂ、便器洗浄ジャック１３ｄを含む。なお、接続部品１３に、便器洗浄プラグ１３ｃ（プラグ部分から延びるコード部分を含む）を含んでもよい。
【００３２】
なお、便器洗浄プラグ１３ｃは、たとえば、洗浄水タンクの外側部に設けられ便器２ａ洗浄時に操作される回動レバーをリモコンからの操作で行う場合に、回動レバーを駆動するモータと衛生洗浄装置１０とを電気的に接続して、衛生洗浄装置１０を介して電源を供給する。また、衛生洗浄装置１０は、便器２ａに設置される場合に接続部品１３が使用者の視界に入らないように、すなわち、接続部品１３がトイレ装置１の外部に露出しないように、給水給電隠蔽で設置される。
【００３３】
衛生洗浄装置１０は、便器２ａの上面後部に設置される場合に、接続部品１３が便器２ａの上面後部における左右いずれか一側部（図示の例では、左側部）に設けられた貫通孔２ｄに挿通され、貫通孔２ｄを介して便器２ａの内部空間に収納される。便器２ａの内部空間に収納された接続部品１３は、トイレ装置１の外部に露出することなく、たとえば、トイレ室の壁５を貫通して、壁５内に設けられた給水源や電源と接続される。
【００３４】
このため、衛生洗浄装置１０は、給水給電隠蔽で好適に設置可能なように構成される。なお、衛生洗浄装置１０の詳細については、図３以降を用いて後述する。また、図２に示すように、衛生洗浄装置１０は、便器２ａに対して、取付プレート４を介して取り付けられる。
【００３５】
取付プレート４は、便器２ａの上面後部における中央部に設けられ、便器２ａの上面に衛生洗浄装置１０を固定し、衛生洗浄装置１０を介して便器部２と便蓋部３とを連結する。なお、取付プレート４には、たとえば、衛生洗浄装置１０を前方からスライドさせて、衛生洗浄装置１０が取り付けられる。
【００３６】
＜衛生洗浄装置の構成＞
次に、図３〜図７Ｆを参照して実施形態に係る衛生洗浄装置１０の構成について詳細に説明する。図３は、実施形態に係る衛生洗浄装置１０の概略平面図である。図４は、実施形態に係る衛生洗浄装置１０の概略斜視図である。なお、図３には、衛生洗浄装置１０のケーシング１１の底部（ケースプレート）１１ｂを示し、ケーシング１１の上部（ケースカバー）１１ａは二点破線で外形のみ示し、機能部１２は一部のみ示す。また、図４には、衛生洗浄装置１０における後方端部かつ左方端部を下方から見た状態を示す。
【００３７】
図３に示すように、衛生洗浄装置１０は、ケーシング１１と、機能部１２と、機能部１２における接続部品１３とを備える。ケーシング１１は、ケーシング１１上部であるケースカバー１１ａと、ケーシング１１底部であるケースプレート１１ｂとを備える。ケーシング１１は、機能部１２を収納する。すなわち、機能部１２は、ケースプレート１１ｂに載置され、ケースカバー１１ａによって上方が覆われる。
【００３８】
機能部１２は、給水、給電機能に供する装置の他、たとえば、便座に座った人の局部を洗浄する衛生洗浄ノズルや、ボウル２ｂ（図２参照）内の臭いを取り除く脱臭装置などを有する。なお、図示は省略しているが、機能部１２は、ケースプレート１１ｂ上の一面に配置される。機能部１２は、外部接続用の接続部品１３を有する。接続部品１３は、上記したように、給水ホース１３ａと、電源コード１３ｂと、便器洗浄プラグ１３ｃと、便器洗浄ジャック１３ｄとを含む。
【００３９】
ここで、便器２ａの貫通孔２ｄ（図２参照）は、たとえば、便器２ａの上面後部における左側部に設けられる。このため、衛生洗浄装置１０は、上記したような接続部品１３、すなわち、給水ホース１３ａ、電源コード１３ｂ、便器洗浄プラグ１３ｃおよび便器洗浄ジャック１３ｄが、ケーシング１１（ケースプレート１１ｂ）の後部における左側に集中配置される。
【００４０】
言い換えると、機能部１２における外部接続用の接続部品１３（給水ホース１３ａ、電源コード１３ｂ、便器洗浄プラグ１３ｃおよび便器洗浄ジャック１３ｄ）は、ケーシング１１の内部において、便器２ａの上面左右いずれか一側部（図示の例の場合は、左側部）に設けられた貫通孔２ｄ側に寄せて配置される。
【００４１】
このように、実施形態に係る衛生洗浄装置１０によれば、接続部品１３、すなわち、給水ホース１３ａ、電源コード１３ｂ、便器洗浄プラグ１３ｃおよび便器洗浄ジャック１３ｄが便器２ａの貫通孔２ｄ側に寄せて配置されるため、これらの接続部品１３を貫通孔２ｄに容易に挿通させることができる。これにより、給水給電隠蔽で設置する場合に接続部品１３を隠蔽する作業が容易となり、設置作業性を向上させることができる。また、接続部品１３が外部に露出しないので、意匠性を向上させることができる。
【００４２】
また、接続部品１３のうち、給水ホース１３ａおよび電源コード１３ｂが便器２ａの貫通孔２ｄ側に寄せて配置されるため、貫通孔２ｄに挿通させるために給水ホース１３ａや電源コード１３ｂを左右から取り回す必要がなくなり、給水ホース１３ａや電源コード１３ｂがキンクすることもない。このため、給水給電隠蔽で設置する作業を容易に行うことができる。
【００４３】
また、図４に示すように、衛生洗浄装置１０は、化粧カバー１４を備える。化粧カバー１４は、ケーシング１１の後部における左側部に設けられた開放部１１ｃ（図６Ａ参照）を覆うように、ケーシング１１のケースカバー１１ａに取り付けられる。なお、ケーシング１１の開放部１１ｃは、ケーシング１１における内部と外部とを隔てつつ機能部１２（図３参照）に対してアクセス可能なように切欠き２３や孔２４（図６Ａ参照）を有する。
【００４４】
化粧カバー１４は、隠蔽部材でもあり、接続部品１３、すなわち、給水ホース１３ａ、電源コード１３ｂ、便器洗浄プラグ１３ｃおよび便器洗浄ジャック１３ｄのうち、開放部１１ｃから外部に露出する部分を隠すように、ケーシング１１に取り付けられる。
【００４５】
このように、実施形態に係る衛生洗浄装置１０によれば、接続部品１３のうち、ケーシング１１の外部に露出する部分を化粧カバー１４で隠すことで、意匠性をさらに向上させることができる。この場合、化粧カバー１４を、たとえば、ケーシング１１や便器部２（便器２ａ）などの色と同色とすれば、意匠性を容易に向上させることができる。
【００４６】
また、接続部品１３のうち、外部とのアクセスが必要なことから開放部１１ｃから露出しやすい便器洗浄プラグ１３ｃや便器洗浄ジャック１３ｄを化粧カバー１４で隠すことができる。これにより、意匠性を向上させることができる。
【００４７】
また、化粧カバー１４は、ケーシング１１の後部における左側部において、ケーシング１１の側面、背面および上面にわたるように形成される（たとえば、図８参照）。具体的には、化粧カバー１４は、ケーシング１１の後部における左側部において、ケーシング１１の側面と、側面の後端縁部から背面の左側端縁部までの面と、側面の上端縁部から上面の左側端縁部までの面とを覆う。
【００４８】
このように、実施形態に係る衛生洗浄装置１０によれば、化粧カバー１４がケーシング１１の３面、すなわち、側面、背面および上面にわたってケーシング１１を覆うように取り付けられるため、ケーシング１１に対して化粧カバー１４を一体的に取り付けることができる。これにより、意匠性を向上させることができる。
【００４９】
次に、化粧カバー１４および化粧カバー１４が取り付けられるケーシング１１の開放部１１ｃについて説明する。図５は、化粧カバー１４の概略斜視図である。図６Ａは、ケーシング１１の開放部１１ｃの概略左側面図である。図６Ｂは、図６ＡにおけるＡ部のＹ軸負方向視を示す図である。図６Ｃは、図６ＡにおけるＢ部のＹ軸負方向視を示す図である。図６Ｄは、図６ＡのＸ軸負方向視を示す図である。
【００５０】
図７Ａは、ケーシング１１および化粧カバー１４の概略左側面図である。図７Ｂは、図７ＡにおけるＣ−Ｃ線断面図である。図７Ｃは、図７ＡにおけるＤ−Ｄ線断面図である。図７Ｄは、図７ＡにおけるＥ−Ｅ線断面図である。図７Ｅは、図７ＡにおけるＦ−Ｆ線断面図である。図７Ｆは、図７ＡにおけるＧ−Ｇ線断面図である。なお、図７Ａ〜図７Ｆは、ケーシング１１の開放部１１ｃに化粧カバー１４が取り付けられた状態を示す。
【００５１】
図５に示すように、化粧カバー１４は、側面カバー部１４ａと、背面カバー部１４ｂと、上面カバー部１４ｃとを備える。側面カバー部１４ａは、ケーシング１１の側面に配置され、ケーシング１１の側面を覆う。
【００５２】
背面カバー部１４ｂは、ケーシング１１の背面に配置され、側面カバー部１４ａの後端縁部から右方へ湾曲するとともに、ケーシング１１の背面を覆う。上面カバー部１４ｃは、ケーシング１１の上面に配置され、側面カバー部１４ａの上端縁部から右方へ湾曲するとともに、ケーシング１１の上面を覆う。なお、化粧カバー１４は、たとえば樹脂製である。
【００５３】
ここで、衛生洗浄装置１０（図４参照）は、化粧カバー１４がケーシング１１に取り付けられる場合に、化粧カバー１４とケーシング１１とを係合させる係合部２０を備える。図５に示すように、化粧カバー１４は、係合部２０の一方を形成する係合凸部２１を備える。係合凸部２１は、上面カバー部１４ｃに設けられた中央凸部２１１を有する。中央凸部２１１は、上面カバー部１４ｃの内側の面から左右方向の内側、すなわち、右方へ向けて突出する。
【００５４】
中央凸部２１１は、先端部が鉤状に形成されたフック部である。なお、中央凸部２１１は、弾性を有するフック部、いわゆるスナップフィットであることが好ましい。また、化粧カバー１４は、上面カバー部１４ｃの端縁部に凸状のリブ部２１２を有する。また、化粧カバー１４は、中央凸部２１１よりも下方における前後方向の両端縁部、すなわち、側面カバー部１４ａおよび背面カバー部１４ｂの端縁部にそれぞれ凸状のリブ部２１３，２１４を有する。
【００５５】
また、化粧カバー１４は、前後方向の両端縁部、すなわち、側面カバー部１４ａおよび背面カバー部１４ｂの端縁部にそれぞれフック部２１５，２１６，２１７を有する。なお、化粧カバー１４は、側面カバー部１４ａの端縁部に２つのフック部２１５，２１６を有し、背面カバー部１４ｂの端縁部に１つのフック部２１７を有する。
【００５６】
このように、実施形態に係る衛生洗浄装置１０によれば、係合凸部２１が、化粧カバー１４の上部において中央凸部２１１による引っ掛け保持構造であり、化粧カバー１４の中央部および下部においてリブ部２１２，２１３による位置決め構造であるため、化粧カバー１４の上部を支点として下部を手前に引くことで、化粧カバー１４を容易に取り外すことができる。
【００５７】
図６Ａに示すように、ケーシング１１における開放部１１ｃは、化粧カバー１４に設けられた係合凸部２１（図５参照）と係合して、係合凸部２１と共に係合部２０を形成する係合凹部２２を備える。係合凹部２２は、開放部１１ｃの上部に設けられた中央凹部（開口部、好ましくはスナップフィット開口部）２２１を有する。中央凹部２２１は、ケーシング１１（開放部１１ｃ）の外側の面から左右方向の外側、すなわち、左方へ向けて開口する。
【００５８】
また、係合凹部２２は、化粧カバー１４に設けられる係合凸部２１のリブ部２１２，２１３，２１４およびフック部２１５（図５参照）にそれぞれ対応する開口部（リブ開口部）２２２，２２３，２２４および開口部（フック開口部）２２５を有する。
【００５９】
なお、図６Ｂに示すように、係合凹部２２は、開放部１１ｃの後部（図６ＡにおけるＡ部）において、リブ部２１４が挿入される開口部２２４を有する。また、図６Ｃに示すように、係合凹部２２は、開放部１１ｃの前部（図６ＡにおけるＢ部）において、フック部２１５と係合するフック開口部２２５を有する。また、図６Ｄに示すように、係合凹部２２は、開放部１１ｃの前端縁部および後端縁部において、フック部２１６，２１７と係合する切欠き部２２６，２２７を有する。
【００６０】
このように、実施形態に係る衛生洗浄装置１０によれば、化粧カバー１４とケーシング１１とを係合させる係合部２０の中央凹部２２１が、上方ではなく、左右方向の外方へ向けて開口されるため、開口（開口部）を通じてケーシング１１の内部に水が入るのを防止することができる。ケーシング１１への浸水を防止することで、機能部１２の故障を防ぐことができるとともに、衛生性を向上させることができる。
【００６１】
また、係合凹部２２の中央凹部２２１を含む各開口部２２２〜２２５は、ケーシング１１の上面以外に設けられる。したがって、ケーシング１１の上面には、化粧カバー１４を係合するために必要な孔などが存在しない。
【００６２】
このように、実施形態に係る衛生洗浄装置１０によれば、係合凹部２２がケーシング１１の上面に設けられないため、すなわち、ケーシング１１に上向きの孔がないため、ケーシング１１の内部に水が入るのを防止することができる。ケーシング１１への浸水を防止することで、機能部１２の故障を防ぐことができるとともに、衛生性を向上させることができる。
【００６３】
また、図６Ａに示すように、開放部１１ｃは、ケーシング１１の内部の便器洗浄ジャック１３ｄと便器洗浄ジャック１３ｄに接続される便器洗浄プラグ１３ｃとの間を開放して、便器洗浄プラグ１３ｃが未接続の場合に便器洗浄ジャック１３ｄを露出させる円形切欠き部２３を有する。また、開放部１１ｃは、機能部１２における他の端子を露出させる円形孔部２４を有する。
【００６４】
また、図６Ｄに示すように、中央凹部２２１は、開口端部の反対側の端部となる左右方向の奥側端面２２１ａが閉塞される。また、中央凹部２２１は、下面が開放される。したがって、中央凹部２２１の開口から水が入っても下方へ落ちる。これにより、ケーシング１１の内部に水が入るのを防止することができる。ケーシング１１への浸水を防止することで、機能部１２の故障を防ぐことができるとともに、衛生性を向上させることができる。
【００６５】
図７Ａに示すように、化粧カバー１４がケーシング１１の開放部１１ｃに取り付けられた状態において、中央凸部２１１は、中央凹部２２１と係合することで、化粧カバー１４の脱落を防止するとともに、化粧カバー１４の左右方向のがたつきを防止する。また、フック部２１５，２１６，２１７は、フック開口部２２５および切欠き部２２６，２２７と係合することで、化粧カバー１４とケーシング１１とが略同一の面となるように、段差を規制する。
【００６６】
また、リブ部２１３は、リブ開口部２２３に挿入されることで、化粧カバー１４が前後方向にスライドすることを防止する。また、リブ部２１２は、リブ開口部２２２に挿入されることで、化粧カバー１４を前後方向に位置決めする。また、リブ部２１４は、リブ開口部２２４に挿入されることで、化粧カバー１４の左右方向の位置決めを行うとともに、化粧カバー１４が浮くのを防止する。
【００６７】
図７Ｂに示すように、化粧カバー１４をケーシング１１（開放部１１ｃ）に取り付けた状態では、Ｃ−Ｃ断面（図７Ａ参照）において、化粧カバー１４は、ケーシング１１の側面および背面と略同一の面となる。図７Ｃに示すように、Ｄ−Ｄ断面（図７Ａ参照）において、化粧カバー１４は、ケーシング１１の背面と略同一の面となる。図７Ｄに示すように、Ｅ−Ｅ断面（図７Ａ参照）において、化粧カバー１４は、ケーシング１１の側面と略同一の面となる。
【００６８】
また、図７Ｅに示すように、化粧カバー１４をケーシング１１（開放部１１ｃ）に取り付けた状態では、Ｆ−Ｆ断面（図７Ａ参照）において、化粧カバー１４は、フック部２１５とフック開口部２２５とが係合された状態で、ケーシング１１の側面と略同一の面となる。また、図７Ｆに示すように、Ｇ−Ｇ断面（図７Ａ参照）において、化粧カバー１４は、リブ部２１３がリブ開口部２２３に挿入された状態で、ケーシング１１の側面と略同一の面となる。
【００６９】
次に、図８を参照して、接続部品１３である便器洗浄ジャック１３ｄに同じく接続部品１３である便器洗浄プラグ１３ｃが接続された状態で化粧カバー１４を取り付ける場合について説明する。図８は、ケーシング１１、化粧カバー１４、キャップ３０および接続部品１３ｃの概略斜視図である。
【００７０】
図８に示すように、ケーシング１１の開放部１１ｃから露出する便器洗浄ジャック１３ｄ（図３参照）に便器洗浄プラグ１３ｃを接続して、これらを隠すように化粧カバー１４が取り付けられる場合、化粧カバー１４に加えて、開放部１１ｃの底面にキャップ３０が取り付けられる。
【００７１】
次に、図９〜図１１Ｅを参照して、キャップ３０およびキャップ３０のケーシング１１に対する密結構造について説明する。図９は、キャップ３０の概略斜視図である。図１０は、キャップ３０の取り付け状態の概略斜視図である。図１１Ａ〜図１１Ｅは、キャップ３０の密結構造の説明図である。図１２は、キャップ３０による半挿入防止構造の説明図である。
【００７２】
図９に示すように、キャップ３０は、たとえば樹脂製であり、基部３１と、保持部３２と、取付部３３とを備える。基部３１は、矩形状に設けられる。保持部３２は、基部３１の一方側部から側方へ延出して設けられ、先端部に屈曲部３２１を有する。また、キャップ３０は、保持部３２および保持部３２の屈曲部３２１の各内面を含んで形成され、便器洗浄プラグ１３ｃ（図１０参照）が配置される配置部３２２を有する。取付部３３は、基部３１の上面に設けられる。取付部３３は、フック部３３１を有する。
【００７３】
図１０に示すように、キャップ３０は、取付部３３のフック部３３１がケーシング１１のケースプレート１１ｂの係合部と係合することで、キャップ３０をケーシング１１に接続状態で固定する。また、キャップ３０には、基部３１の下面の裏面側に、キャップ３０を取り外す場合に使用するつまみ部３１１が設けられる。
【００７４】
図１１Ａに示すように、キャップ３０は、便器洗浄プラグ１３ｃを配置部３２２に配置させた状態でケーシング１１のケースプレート１１ｂに取り付けられる。図１１Ｂに示すように、キャップ３０は、Ｈ−Ｈ断面（図１１Ａ参照）においては、基部３１および屈曲部３２１において前方押圧力Ｆａ，Ｆａを有し、保持部３２の他の部位において後方押圧力Ｆｂを有する。また、キャップ３０は、基部３１および屈曲部３２１において左方押圧力Ｆｃ，Ｆｃを有する。
【００７５】
また、図１１Ｃに示すように、図１１Ａにおける底面視においては、キャップ３０は、基部３１において後方押圧力Ｆｂおよび右方押圧力Ｆｄを有する。また、屈曲部３２１において左方押圧力Ｆｃを有する。また、図１１Ｄに示すように、キャップ３０は、Ｉ−Ｉ断面（図１１Ｂ参照）においては、基部３１において上方押圧力Ｆｅおよび下方押圧力Ｆｆ，Ｆｆを有する。また、図１１Ｅに示すように、キャップ３０は、Ｊ−Ｊ断面（図１１Ｂ参照）においては、保持部３２において後方押圧力Ｆｂを有する。
【００７６】
このように、キャップ３０は、ケーシング１１に取り付けられた状態で外方へ向けて押圧力Ｆａ〜Ｆｆを有する。これにより、キャップ３０は、ケーシング１１に対して密結される。
【００７７】
図１２に示すように、キャップ３０は、たとえば、便器洗浄プラグ１３ｃが、便器洗浄ジャック１３ｄに正しく差し込まれていない状態、すなわち、半挿入の状態の場合、図中に塗りつぶして示すように、屈曲部３２１が便器洗浄プラグ１３ｃと干渉する。
【００７８】
このため、キャップ３０は、便器洗浄プラグ１３ｃが半挿入の状態の場合にはケーシング１１に取り付けることができない。このように、便器洗浄プラグ１３ｃが半挿入の状態の場合にキャップ３０の取り付けを規制することで、便器洗浄プラグ１３ｃの半挿入防止構造を容易に実現することができる。
【００７９】
次に、図１３および図１４を参照してキャップの他の例について説明する。図１３は、キャップの他の例（キャップ４０）の概略斜視図である。図１４は、キャップの他の例（キャップ４０）による半挿入防止構造の説明図である。図１３に示すように、キャップ３０の別例であるキャップ４０は、キャップ３０と基本的には同等の構成であり、キャップ３０とは凸部４２２を有するか否かで構成が違う。凸部４２２は、屈曲部４２１の右側面から突出して設けられる。
【００８０】
また、図１４に示すように、キャップ４０は、便器洗浄プラグ（たとえば、上記した密結便器用の便器洗浄プラグ１３ｃと比べて小型なワンピース便器専用の便器洗浄プラグ）１３ｅが、便器洗浄ジャック１３ｄに正しく差し込まれていない場合、すなわち、半挿入の場合、図中に塗りつぶして示すように、屈曲部４２１の凸部４２２が便器洗浄プラグ１３ｅと干渉する。
【００８１】
このため、キャップ４０は、便器洗浄プラグ１３ｅが半挿入の状態の場合にはケーシング１１に取り付けることができない。このように、便器洗浄プラグ１３ｅが半挿入の状態の場合にキャップ４０の取り付けを規制することで、便器洗浄プラグ１３ｅの半挿入防止構造を容易に実現することができる。
【００８２】
また、実施形態に係るトイレ装置１は、上記してきた衛生洗浄装置１０を備えることで、衛生洗浄装置１０において外部接続用の接続部品１３が便器２ａの貫通孔２ｄ側に寄せて配置されるため、接続部品１３を貫通孔２ｄに容易に挿通させることができる。
【００８３】
これにより、給水給電隠蔽で設置する場合に接続部品１３を隠蔽する作業が容易となり、設置作業性を向上させることができる。また、接続部品１３が外部に露出しないので、意匠性を向上させることができる。
【００８４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８５】
１    トイレ装置
２    便器部
２ａ  便器
２ｄ  貫通孔
１０    衛生洗浄装置
１１    ケーシング
１１ｃ  開放部
１２    機能部
１３    接続部品
１３ａ  給水ホース
１３ｂ  電源コード
１３ｃ  便器洗浄プラグ
１３ｄ  便器洗浄ジャック
１４    化粧カバー
２０    係合部
２１    係合凸部
２１１    中央凸部
２２    係合凹部
２２１    中央凹部
３０    キャップ
【図１】
2018031203.tif 000003
【図２】
2018031203.tif 000004
【図３】
2018031203.tif 000005
【図４】
2018031203.tif 000006
【図５】
2018031203.tif 000007
【図６Ａ】
2018031203.tif 000008
【図６Ｂ】
2018031203.tif 000009
【図６Ｃ】
2018031203.tif 000010
【図６Ｄ】
2018031203.tif 000011
【図７Ａ】
2018031203.tif 000012
【図７Ｂ】
2018031203.tif 000013
【図７Ｃ】
2018031203.tif 000014
【図７Ｄ】
2018031203.tif 000015
【図７Ｅ】
2018031203.tif 000016
【図７Ｆ】
2018031203.tif 000017
【図８】
2018031203.tif 000018
【図９】
2018031203.tif 000019
【図１０】
2018031203.tif 000020
【図１１Ａ】
2018031203.tif 000021
【図１１Ｂ】
2018031203.tif 000022
【図１１Ｃ】
2018031203.tif 000023
【図１１Ｄ】
2018031203.tif 000024
【図１１Ｅ】
2018031203.tif 000025
【図１２】
2018031203.tif 000026
【図１３】
2018031203.tif 000027
【図１４】
2018031203.tif 000028